(57)【要約】【課題】釣糸の糸絡みを防止しつつ、鋭敏に魚の「当たり」を捉え得る穂先竿を提供する。【解決手段】この穂先竿１は、中実の細棒部材であり、穂先側端部周面に第１小径部２ａと第２小径部２ｂとを有する本体部２と、第２小径部２ｂの外周面に回転自在に配置された回転パイプ３と、第１小径部２ａに装着されるキャップ４とを備える。回転パイプ３の周面に釣糸Ｌを装着して、魚釣りを行う。釣糸Ｌの回転と共に回転パイプ３も回転し釣糸Ｌの糸絡みが生じない。また、釣糸Ｌからの魚の「当たり」は、本体部２に直接的に伝達される。【選択図】      図２
2004329053.tif 000002
【特許請求の範囲】
【請求項１】
釣竿の最も穂先側に位置する穂先竿であって、
本体部と、
前記本体部の穂先側の外周面に回転自在に配置された回転パイプと、
前記回転パイプの前記本体部の軸方向への移動を規制する規制手段と
を備えた穂先竿。
【請求項２】
前記本体部の穂先側端部において前記回転パイプの穂先側に装着されるキャップをさらに備え、
前記本体部は穂先側端部に軸方向に一定の範囲で外径が一段小径化した小径部を有しており、
前記小径部上に、前記回転パイプと前記キャップとが装着され、
前記小径部の竿元側の段及び前記キャップが前記規制手段である、請求項１に記載の穂先竿。
【請求項３】
前記回転パイプの軸方向両端側において前記本体部の外周面に固定される一対のリングをさらに備え、前記一対のリングが前記規制手段である、請求項１に記載の穂先竿。
【請求項４】
前記回転パイプは軸長方向の両端にそれぞれ鍔を有している、請求項１〜３の何れかに記載の穂先竿。
【請求項５】
前記本体部は中実である、請求項１〜４の何れかに記載の穂先竿。
【発明の詳細な説明】
【０００１】
【発明の属する技術分野】
本発明は、複数の竿体を連結して構成されている釣竿において、最も穂先側に位置する小径の穂先竿に関する。
【０００２】
【従来の技術】
釣竿の中には、釣竿の穂先側先端に釣糸を連結するタイプのものがある。このようなタイプの釣竿では、一般に、最も穂先側に位置する穂先竿の穂先側端部に釣糸を連結するための釣糸係止具を取り付けている。
このような釣糸係止具はそこに取り付けた釣糸が糸絡みしないように、釣糸係止具自体が竿体の周方向に回転可能となっているものがある。例えば、穂先竿の穂先側端部に回転体を取り付け、この回転体の先端に釣糸を連結可能とした釣糸係止具等がある（特許文献１参照）。さらに、このような釣糸係止具が釣竿の穂先側の重量化を招くとして、穂先竿の穂先側端部周面に取り付けパイプを配置し、その取り付けパイプ上に回転筒を回転自在に配置した釣糸係止具等も提案されている（特許文献２参照）。
【０００３】
【特許文献１】
実開昭６１−１００９７９号公報
【０００４】
【特許文献２】
特開平２―４０３号公報
【０００５】
【発明が解決しようとする課題】
このように、釣糸の糸絡みや釣竿の穂先側の重量化を回避するために、様々な釣糸係止具が提供されているが、さらなる改良が求められている。
即ち、釣糸を連結する穂先竿の穂先側端部は、釣糸の先端に魚が係った際に最初に反応し、釣人に魚の「当たり」を知らせる部分であり、微妙な釣糸からの振動にも鋭敏に反応する必要がある。しかし、上述の従来の各種の釣糸係止具は、釣糸を連結する部分と穂先竿自体との間に介在する部品が多くなり、釣糸からの「当たり」を必ずしも十分に捉えきれない。
【０００６】
また、上述のように、穂先竿が魚の「当たり」に鋭敏に反応するためには、穂先竿の穂先側端部を可及的に小径化させるのが好ましく、中空ではなく中実の穂先竿を用いる場合も多い。中実の穂先竿にあっては、上述の特許文献１のような釣糸係止具は用いられない。敢えて用いるためには、中実の穂先竿の穂先側にパイプ状の部材を介在させて回転体を配置する必要があり、結果的に、「当たり」への反応度が低下する。
【０００７】
本発明の課題は、釣糸の糸絡みを防止しつつ、鋭敏に魚の「当たり」を捉え得る釣糸を係止するための部分を備える穂先竿を提供することにある。
【０００８】
【課題を解決するための手段】
本発明の穂先竿は、釣竿の最も穂先側に位置する穂先竿であって、本体部と、本体部の穂先側の外周面に回転自在に配置された回転パイプと、回転パイプの本体部の軸方向への移動を規制する規制手段とを備えている。
この穂先竿においては、回転パイプの外周面に釣糸を結びつけて係止して魚釣りを行う。釣糸が周方向に振れ若しくは回転すると、釣糸の結び目も回転パイプ上を滑って回転するが、さらに、回転パイプ自体も周方向に回転し、釣糸が回転パイプに絡みつくのを抑えている。また、この回転パイプは、穂先竿の周面に直接取り付けられ、規制手段によって軸方向への移動が規制されており、釣糸からの振動が直接的に穂先竿に伝達される。よって、微妙な釣糸の振動等にも穂先竿が鋭敏に反応し、魚の「当たり」を捉え得る。
【０００９】
別の穂先竿は、本体部の穂先側端部において回転パイプの穂先側に装着されるキャップをさらに備えている。本体部は穂先側端部に軸方向に一定の範囲で外径が一段小径化した小径部を有しており、この小径部上に回転パイプとキャップとが装着される。そして、この小径部の竿元側の段及びキャップが規制手段である。
【００１０】
この穂先竿においては、穂先竿の穂先側端部の小径部が一段小径化しており、他の部分にも比較して屈曲性に富む。このような小径部に回転パイプが配置されており、微妙な釣糸の振動が穂先竿に伝達され易い。さらに、小径部の手元側の段を回転パイプの軸方向への移動規制にも利用でき、パーツ数の減少が可能となり、穂先竿の穂先側端部の重量化を避けられる。
【００１１】
さらに別の穂先竿は、回転パイプの軸方向両端側において本体部の外周面に固定される一対のリングをさらに備えている。この一対のリングが規制手段である。
なお、回転パイプは軸長方向の両端にそれぞれ鍔を有しているものとしてもよい。この鍔が、回転パイプの周面に取り付けられた釣糸が軸長方向に滑って、外れてしまうのを抑える。なお、穂先竿の本体部として中実のものを用いれば、本体部のさらなる小径化が可能となり、「当たり」を的確に捉え得るようになる。
【００１２】
【発明の実施の形態】
［第１実施形態］
以下、本発明の第１実施形態について図面を参照しつつ説明する。
図１に示すように、本発明の第１実施形態を採用した穂先竿１は、複数の竿体を連結して構成される釣竿の穂先側端部に位置する最も小径の竿体である。穂先竿１は、先細りテーパの施された中実の細棒部材であり、このような中実の本体部２と、本体部２の穂先側の外周面に装着される回転パイプ３と、本体部２の穂先側端部に装着されるキャップ４とを有している。
【００１３】
本体部２は炭素繊維，ガラス繊維等の強化樹脂に合成樹脂を含浸させたプリプレグから構成されている。本体部２は、例えば、炭素繊維，ガラス繊維に合成樹脂を含浸させ、その状態で引き抜き成型をおこなって細棒状の炭素若しくはガラスソリッドを成型し、その炭素若しくはガラスソリッドを穂先側ほど小径化するようにテーパ加工して製造される。
【００１４】
また、図２に詳しく示すように、この本体部２の穂先側端部は他の部分に比較して外径が２段階にわたって小径化されており、穂先側端部の第１小径部２ａと、その竿元側の第２小径部２ｂとが形成されている。本体部２は、例えば、第２小径部２ｂの竿元側においてφ０．６ｍｍ程度、第２小径部２ｂにおいてφ０．４ｍｍ程度、第１小径部２ａにおいてφ０．３ｍｍ程度となるような小径のものである。
【００１５】
なお、穂先竿１においては、その軸方向全体にわたって中実のものとしなくてもよい。例えば、穂先竿１の穂先側の２０〜４０％程度の領域を中実の本体部２とし、その竿元側に中空の筒状の部材を連結し、両者を接着剤等によって一体的に連結して、穂先竿１を形成することも可能である。このような構造を採用すれば、穂先竿１全体の軽量化をさらに図ることが可能となる。
【００１６】
回転パイプ３は、本体部２の第２小径部２ｂの周面上に回転自在に装着されるパイプ状の部材である。この回転パイプ３は、例えば、ＡＢＳなどの合成樹脂や、ステンレス等金属から構成され、軸長方向の両端にはそれぞれ周方向全体にわたって外径方向に張り出した鍔を有している。回転パイプ３の軸長方向長さは、第２小径部２ｂの軸方向長さとほぼ同様に設定する。この回転パイプ３は第２小径部２ｂ上に穂先側から配置され、第２小径部２ｂの竿元側端部の段によって、竿元側方向への移動は規制されている。さらに、回転パイプ３の第２小径部２ｂ上での回動を良くするために、第２小径部２ｂ上にグリースなどの滑動用の潤滑剤を塗布してもよい。
【００１７】
キャップ４は、本体部２の第１小径部２ａに取り付けられる円盤状の部材である。接着若しくは取り外し自在にするために螺着等の手法で、キャップ４は第１小径部２ａ上に取り付けられ、回転パイプ３の穂先側への抜け止めとなる。なお、ここでも、第１小径部１ａの竿元側の段がキャップ４の位置決めとなっている。
【００１８】
このような穂先竿１においては、図１に示すように、回転パイプ３の外周面に釣糸Ｌを結びつけて係止して魚釣りを行う。釣糸Ｌが周方向に振れ若しくは回転すると、釣糸Ｌの結び目も回転パイプ３上を滑って回転するが、さらに、回転パイプ３自体も周方向に回転し、釣糸Ｌが回転パイプ３に絡みつくのを抑えている。また、この回転パイプ３は、穂先竿１の本体部２の周面に直接取り付けられており、釣糸Ｌからの振動が直接的に本体部２に伝達される。特に、回転パイプ３が第２小径部２ｂに装着されており、この小径化された第２小径部２ｂが微妙な釣糸Ｌの振動等にも反応し、よって穂先竿１が鋭敏に反応し、魚の「当たり」を的確に捉え得る。
【００１９】
［第２実施形態］
第２実施形態につき、図３を参照にして説明する。
この穂先竿１１も上記第１実施形態と同様に、複数の竿体を連結して構成される釣竿の穂先側端部に位置する最も小径の竿体である。穂先竿１１は、中実の本体部１２と、本体部１２の穂先側の外周面に装着される回転パイプ１３と、本体部１２の穂先側端部に装着されるキャップ１４と、回転パイプ１３の竿元側に隣接して本体部１２の周面に装着されている固定リング１５とを有している。
【００２０】
本体部１２は、第１実施形態と同様のソリッド材である。第１実施形態と異なり、この本体部１２には特に小径部分を穂先側に形成していない。これに代わって、本体部１２の穂先側の周面には固定リング１５が接着剤等によって固定されている。固定リング１５は、プラスチック製のリング部材やビーズ玉等を利用することができる。回転パイプ１３が固定リング１５の穂先側に装着可能な程度に、本体部１２の穂先側端部から一定の距離を隔てて、固定リング１５は装着されている。
【００２１】
回転パイプ１３は、固定リング１５の穂先側に隣接して、本体部１２の周面上に回転自在に装着されるパイプ状の部材である。この回転パイプ１３は、第１実施形態と同様のものを用いることができる。また、回転パイプ１３の穂先側にはキャップ１４が配置される。このキャップ１４は、本体部１２の穂先側端部を覆うように装着される部材である。接着又は螺着等の手法で本体部１２の穂先側に装着され、回転パイプ１３の穂先側への抜け止めとなる。
【００２２】
このような穂先竿１１に於いても、第１実施形態と同様に、回転パイプ１３に釣糸Ｌを装着する。そして、釣糸Ｌからの振動に穂先竿１１の本体部１２が鋭敏に反応する。
［第３実施形態］
さらに、別の変形例を図４に示す。
【００２３】
この穂先竿２１は、中実の本体部２２と、本体部２２の穂先側の外周面に装着される回転パイプ２３と、本体部２２の穂先側端部に装着されるキャップ２４と、回転パイプ２３の竿元側に隣接して本体部２２の周面に装着されている固定リング２５とを有している。
本体部２２は、第１実施形態と同様のソリッド材である。その穂先側端部は他の部分より一段小径化された小径部２２ａとなっている。この小径部２２ａに、固定リング２５と、回転パイプ２３と、キャップ２４とが、竿元側から順に装着されている。
【００２４】
固定リング２５にはその周縁に穂先側に向かって突出するフランジが、キャップ２４にはその周縁に竿元側に向かってする突出するフランジが、周方向全体にわたって形成されており、このフランジで回転パイプ２３を保持している。固定リング２５は小径部２２ａの竿元側の段差で位置決めされている。一方の、キャップ２４は、穂先竿２１の本体部２２の穂先側端部を覆うように装着されている。なお、回転パイプ２３は上記各実施形態と同様に、本体部２２上で周方向に回転自在に装着される。
【００２５】
このような穂先竿２１においても、回転パイプ２３の周面に釣糸Ｌを結びつけて、釣りをおこなう。釣糸Ｌからの振動を穂先竿２１の本体部２２が直接受信して、釣人はその情報を的確に捉えることができる。
【００２６】
【発明の効果】
本発明にかかる穂先竿によれば、釣糸の糸絡みを防止しつつ、鋭敏に魚の「当たり」を捉え得る。
【図面の簡単な説明】
【図１】本発明の第１実施形態を採用した穂先竿を示した図。
【図２】図１の穂先竿の拡大断面図。
【図３】本発明の第２実施形態を採用した穂先竿の拡大断面図。
【図４】本発明の第３実施形態を採用した穂先竿の拡大断面図。
【符号の説明】
１，１１，２１  穂先竿
３，１３，２３  回転パイプ
４，１４，２４  キャップ
Ｌ  釣糸
【図１】
2004329053.tif 000003
【図２】
2004329053.tif 000004
【図３】
2004329053.tif 000005
【図４】
2004329053.tif 000006